(57)【要約】２つの成形部品及び引張ばねを有する外科用クリップ組立体が提供される。本発明の一特徴では、ばねクリップは、第１のジョー及び第１のフィンガタブを備えた第１の成形部分と、第１の成形部分に結合されていて、第２のジョー及び第２のフィンガタブを備えた第２の成形部分と、第１のジョーと第２のジョーの両方に結合された引張ばねとを有する。第１の成形部分と第２の成形部分は、互いに同一の部品であり、第１及び第２のフィンガタブの作用により全体として閉じ位置と全体として開き位置との間で動くことができる。フィンガタブは、ユーザ又はクリップ留め具のジョーとの係合を容易にする空所又は溝を有するのがよい。ジョーは、処置の特定の領域に接近できるように形作られ、湾曲し又は曲げられたものであるのがよい。ジョーは各々、外傷を一段と減少させると共に標的体内導管に対する牽引作用（トラクション）を一段と高めるインサートを備えるのがよい。クリップの好ましい組立て方法では引張ばねを少なくとも１回巻いて中心コイル及び２つの延長部を形成し、成形部分の各々にヒンジ領域を形成する。ヒンジ領域の各々は、ヒンジスタッド及びヒンジ空所を有する。ヒンジ領域は、互いに整列してスナップ嵌合し、それによりクリップ組立体を形成するよう働く。本発明の組立て方法では、引張ばねの延長部を成形部分のジョー又はフィンガタブのいずれかの案内スロット又はリブ内に設けるのがよい。本発明の特徴は、成形部分の構成を変更しないで、各外科処置の要望及び要件に従って使用できる種々の強度及び引張特性を持つ互いに異なる引張ばねにある。
2006519674.tif 000002
【特許請求の範囲】
【請求項１】
外科用クリップであって、
第１のジョー及び第１のフィンガタブを備えた第１の成形部分と、
第１の成形部分に結合され、第２のジョー及び第２のフィンガタブを備えた第２の成形部分と、
ワイヤで形成され、クリップを結合保持するよう第１のジョーと第２のジョーの両方に結合された引張ばねと、を有する、
ことを特徴とする外科用クリップ。
【請求項２】
第１の成形部分と第２の成形部分は、互いに同一の部品である、
請求項１記載の外科用クリップ。
【請求項３】
第１及び第２の成形部分は、第１及び第２のフィンガタブの作用により、全体として閉じ位置と全体として開き位置との間で動くことができる、
請求項１記載の外科用クリップ。
【請求項４】
引張ばねは、少なくとも１つのターンを有する、
請求項１記載の外科用クリップ。
【請求項５】
第１の成形部分及び第２の成形部分のうち少なくとも一方は、ユーザの指との係合を容易にする複数の空所を有する、
請求項１記載の外科用クリップ。
【請求項６】
第１の成形部分及び第２の成形部分のうち少なくとも一方は、クリップ留め具のジョーとの係合を容易にする複数の溝を有する、
請求項１記載の外科用クリップ。
【請求項７】
クリップは、手動操作される、
請求項１記載の外科用クリップ。
【請求項８】
クリップは、クリップ留め具を用いて遠隔操作される、
請求項６記載の外科用クリップ。
【請求項９】
第１のジョーと第２のジョーは、閉じ位置において互いに弾性的に押される、
請求項３記載の外科用クリップ。
【請求項１０】
引張ばねの引張特性、強度特性及び保持特性は、中心コイルのターンの数、ワイヤの硬度又は調質度、ワイヤの材質、ワイヤの直径及びワイヤの断面に基づいて様々である、
請求項１記載の外科用クリップ。
【請求項１１】
ワイヤの断面形状は、楕円形、円形、正方形、長方形又は任意の幾何学的形状である、
請求項１記載の外科用クリップ。
【請求項１２】
第１及び第２のジョーは各々、外傷を軽減するよう働くパッド又はインサートを更に有する、
請求項１記載の外科用クリップ。
【請求項１３】
パッド又はインサートは、定位置に成形され又は任意公知の接着剤を用いて取り付けられる、
請求項１２記載の外科用クリップ。
【請求項１４】
パッド又はインサートは、ゴム基材をメッシュ基材で覆ったものである、
請求項１２記載の外科用クリップ。
【請求項１５】
第１のジョー及び第２のジョーは、牽引作用を高めるようギザギザ付きである、
請求項１記載の外科用クリップ。
【請求項１６】
牽引作用及びクッション作用を高めるよう第１及び第２のジョーに被着された被膜を更に有する、
請求項１記載の外科用クリップ。
【請求項１７】
外科用クリップの形成方法であって、
単一のワイヤを支持部材又はマンドレルに少なくとも１回巻き付けて引張ばねの中心コイル、第１の延長部及び第２の延長部を形成する段階と、
第１のジョー、第１のフィンガタブ及び第１のヒンジ領域を備えた第１の成形部分と、第２のジョー、第２のフィンガタブ及び第２のヒンジ領域を備えた第２の成形部分とを用意する段階とを有し、第１のヒンジ領域は、第１のヒンジスタッド及び第１のヒンジ空所を有し、第２のヒンジ領域は、第２のヒンジスタッド及び第２のヒンジ空所を有し、さらに、
第１のヒンジ領域と第２のヒンジ領域を位置合わせし、第１のヒンジスタッドを第２のヒンジ空所に嵌め込み、第２のヒンジスタッドを第１のヒンジ空所に嵌め込む段階を、有する、
ことを特徴とする方法。
【請求項１８】
第１及び第２のヒンジ領域は各々、互いに結合するスナップ嵌め特徴部を有する、
請求項１７記載の方法。
【請求項１９】
第１及び第２の成形部分は各々、引張ばねの中心コイルを保持するハウジング部分を有する、
請求項１７記載の方法。
【請求項２０】
引張ばねを第１及び第２の成形部分のハウジング部分内に配置しているときに引張ばねの延長部を第１及び第２の成形部分のジョー又はフィンガタブのいずれかの案内スロット又はリブ内に取り付ける段階を更に有する、
請求項１９記載の方法。
【請求項２１】
第１及び第２のジョーは各々、クリップを結合保持するよう引張ばねをハウジング部分内に取り付ける案内スロット又はリブを更に有する、
請求項１７記載の方法。
【請求項２２】
第１及び第２のジョーを無外傷性材料及び牽引作用促進材料のうち少なくとも一方で被覆する段階を更に有する、
請求項１７記載の方法。
【請求項２３】
被膜は、軟質エラストマー、クレイトン（Krayton）、ＰＶＣ、ポリイソプレン等のうち少なくとも１つから成ることを特徴とする請求項１７記載の方法。
【請求項２４】
使い捨てインサートを第１及び第２のジョーの上に配置して牽引作用を高める段階を更に有する、
請求項１７記載の方法。
【請求項２５】
種々の強度及び種々の引張特性を持つ種々の引張ばねが、各外科処置の要望及び要件に従って使用される、
請求項１７記載の方法。
【請求項２６】
第１及び第２のヒンジ領域は各々、引張ばねの中心コイルを定位置に保持するばねリテーナリブを更に有する、
請求項１７記載の方法。
【請求項２７】
ワイヤの断面形状は、楕円形、円形、正方形、長方形又は任意の幾何学的形状である、
請求項１７記載の方法。
【発明の詳細な説明】
【技術分野】
【０００１】
本願は、２００３年３月６日に出願された米国仮特許出願第６０／４５２，５７４号（発明の名称：Spring Clip and Method for Assembling Same）の優先権を主張する非仮出願である。なお、この米国特許明細書の記載内容全体を本明細書に援用する。
本発明は、概略的には、外科用クリップ及びクランプに関し、詳細には、改良型外科用ばねクリップ及びかかるクリップの改良型組立体クリップに関する。
【背景技術】
【０００２】
クリップ及びクランプは、種々の身体組織及び（又は）導管、例えば動脈、静脈及び管中の流体の流れを遮り又は阻止するために外科処置において一般的に用いられている。
【発明の開示】
【発明が解決しようとする課題】
【０００３】
これらクリップは、全体として剛性の互いに平行なジョーを備え、ジョーは各々、それぞれのバレル部分に取り付けられている。バレル部分は、圧縮ばねを収容するよう互いに対して入れ子状に動くことができる。フィンガタブは、ジョーを開閉するようバレル部分の全体として最も外側の端に取り付けられている。従来のクリップは、バレル部分の長さによって定められる非常に高いプロフィールを備えている。その結果、先行技術の外科用クリップのこの形態により、外科用クリップは、末梢血管手術又は接近器具、例えばトロカール及び内視鏡の実働可能なチャネル内での使用には特に不向きになっている。たとえ細長い外科用クリップ留め具を用いても、バレル部分及びタブの比較的高いプロフィールが更に一段と高くなっている。留め具のアームは必然的にバレル部分及びタブの外面に係合しなければならないので、留め具を用いる場合、留め具／クリップの組合せの高さが増大するに過ぎない。他のクリップも又用いられているが、組立てに費用がかかる。したがって、当該技術分野において、組立てが容易であり、非常に少ない部品で構成される低プロフィール外科用クリップが要望されている。クリップを末梢血管処置に及び低侵襲性接近器具に用いることができることが望ましい。
【課題を解決するための手段】
【０００４】
本発明によれば、先行技術の欠点は、２つの成形部品及び引張ばねだけを有する組立てが容易なクリップで解決される。本発明の一特徴では、外科用クリップは、第１のジョー及び第１のフィンガタブを備えた第１の成形部分と、第１の成形部分に結合されていて、第２のジョー及び第２のフィンガタブを備えた第２の成形部分と、クリップを結合保持するよう第１のジョーと第２のジョーの両方に結合された引張ばねとを有する。第１の成形部分と第２の成形部分は、互いに同一の部品であるのがよい。第１及び第２の成形部分は、第１及び第２のフィンガタブの作用により、全体として閉じ位置と全体として開き位置との間で動くことができる。特に、フィンガタブを一緒に動かすことは、引張ばねに加わる付勢力に抗し、ジョーを開き状態に動かす。フィンガタブを解除すると、フィンガタブは、引張ばねがジョーをこれらの閉じ状態に動かしたときにこれらの最大高さに拡張する。
【０００５】
引張ばねは、１以上のターンを有し、フィンガタブは、ユーザの指又はクリップ留め具のジョーとの係合を容易にするよう空所又は溝を有するのがよい。すなわち、ばねクリップは、手動操作可能であり又はクリップ留め具を用いて遠隔操作可能であるのがよい。ばねクリップは、各外科処置の要望及び要件に従って任意の寸法形状のものであってよいことが理解される。さらに、引張ばねは、クリップの種々の張力、強度及び他の保持特性をもたらすよう種々のワイヤ材料、ワイヤ直径、ワイヤ断面形状及びコイルターン（コイル巻き数）で作られるのがよいことが理解される。ワイヤ材料は、特定の強度及び引張特性をもたらすよう特定の硬度又は調質度のものであるのがよい。本発明の別の特徴では、クリップのジョーは、処置の特定の領域に接近できるよう形作られ、湾曲し、曲げられ又は違ったやり方で形作られるのがよい。ジョーは各々、外傷を軽減すると共に（或いは）標的体内導管又は組織に対する牽引作用（トラクション）を高めるよう働くパッド又は一体形ジョーパターンを備えるのがよい。
【０００６】
本発明の好ましい方法によれば、引張ばねを少なくとも１回巻いて中心コイル及び２つの延長部を形成し、第１及び第２の成形部品の各々にヒンジ領域を形成する。第１及び第２の成形部分のヒンジ領域は各々、ヒンジスタッド及びヒンジ空所を有する。ヒンジ領域は、互いに整列するよう働き、他方のヒンジ領域と結合するスナップ嵌め特徴部を有するのがよい。第１の成形部分と第２の成形部分を互いに整列させて合致させた後、ハウジング部分をヒンジ領域相互間に形成して引張ばねの中心コアを保持する。本発明の組立て方法では、引張ばねの延長部を引張ばねがハウジング部分内に配置されたとき、第１及び第２の成形部分のジョー又はフィンガタブのいずれかの案内スロット又はリブ内に配置するのがよい。この組立て方法では、成形部分の構成を変更しないで、種々の強度及び引張特性を持つ種々の引張ばねを各外科処置の要望及び要件に従って用いることができる。ばねクリップは、実働可能なチャネルを有する管、例えば内視鏡、トロカール又は体壁を横切って延びる任意他の接近装置中へ挿入可能になっているのがよい。
【０００７】
本発明の上記特徴及び利点並びに他の特徴及び利点は、関連の図面を参照して好ましい実施形態の説明を読むと明らかなる。
【発明を実施するための最良の形態】
【０００８】
図１ないし図６は、本発明の第１の実施形態としてのジョー付きばねクリップ１００を示している。ばねクリップ１００は、第１のジョー１１２及び第１のフィンガタブ１１４を備えた第１の成形部分１１０と、第１の成形部分１１０に結合されていて、第２のジョー１２２及び第２のフィンガタブ１２４を備えた第２の成形部分１２０と、クリップ組立体を結合保持するよう第１の成形部分１１０と第２の成形部分１２０の両方に結合された引張ばね１３０とを有している。第１及び第２の成形部分１１０，１２０をユーザの要望に合うように任意の低プロフィール及び（又は）幅の狭い形態に成形するのがよい。さらに、第１及び第２の成形部分１１０，１２０は、互いに同一の部品であるのがよい。第１及び第２のジョー１１２，１２２は、図３に示す第１の比較的近位側の位置と、図２に示す第２の比較的間隔を置いた位置との間で相対的に動くことができる。第１及び第２の成形部分１１０，１２０は、第１及び第２のフィンガタブ１１４，１２４の作用により、ジョー１１２，１２２が全体として閉じられた第１の位置（図３）と、ジョー１１２，１２２が全体として開いた第２の位置（図２）との間で動くことができる。特に、フィンガタブ１１４，１２４を一緒に動かすことは、引張ばね１３０に加わる付勢力に抗し、ジョー１１２，１２２を開き状態に動かす。フィンガタブ１１４，１２４を解除すると、これらフィンガタブは、引張ばね１３０がジョー１１２，１２２をこれらの閉じ状態に動かしたときにこれらの最大高さに拡張する。
【０００９】
引張ばね１３０は、軸方向軸線１６０を有し、１以上のターン（巻き部）を有している。フィンガタブ１１４，１２４はそれぞれ、ユーザの指又はクリップ留め具のジョーとの係合を容易にするよう空所又は溝１１５，１２５を有するのがよい。すなわち、ばねクリップ１００を手動操作でき又はクリップ留め具を用いて、すなわちクリップ留め具のジョーをフィンガタブ１１４，１２４相互間に取り付けてクリップ留め具を操作してこれらフィンガタブ１１４，１２４を開閉することにより遠隔操作できる。本発明のばねクリップ１００は、各外科処置、例えば末梢血管手術、腹腔鏡下手術等の要望及び要件に従って任意の寸法形状のものであってよいことが理解される。さらに、引張ばね１３０は、クリップ１００の種々の張力、強度及び他の保持特性をもたらすよう種々のワイヤ材料、ワイヤ直径、ワイヤ断面形状及びコイルターン（コイル巻き数）で作られるのがよいことが理解される。ワイヤ材料は、特定の強度及び引張特性をもたらすよう特定の硬度又は調質度のものであるのがよい。
【００１０】
本発明の別の特徴では、ジョー１１２，１２２は、処置の特定の領域に接近できるよう形作られ、湾曲し、曲げられ又は違ったやり方で形作られるのがよい。すなわち、ジョーは、クリップの意図した使用に一致した種々の形状に合うよう形作られたものであるのがよい。ジョー１１２，１２２は、外傷を軽減すると共に（或いは）標的体内導管又は組織に対する牽引作用（トラクション）を高めるよう働くパッド又は一体形ジョーパターン１５０，１５２をそれぞれ備えるのがよい。インサート１５０，１５２を定位置に成形するのがよく又は任意公知の接着剤を用いて取り付けるのがよい。
【００１１】
図７を参照すると、ばねクリップ１００の組立て方法の種々の段階が示されている。本発明の好ましい方法によれば、引張ばね１３０を少なくとも１回巻いて中心コイル及び２つの延長部１３２，１３４を形成し、第１及び第２の成形部品１１０，１２０にヒンジ領域１４０，１４２をそれぞれ形成する。第１の成形部分１１０のヒンジ領域１４０は、第１のヒンジスタッド１４３及び第１のヒンジ空所１４４を有する。これと同様に、第２の成形部分１２０のヒンジ領域１４２は、第２のヒンジスタッド１４５及び第２のヒンジ空所１４６を有する。ヒンジ領域１４０，１４２は、互いに整列するよう働き、互いにスナップ嵌合してばねクリップ１００を形成することができる。例えば、第１及び第２の成形部分１１０，１２０は、互いに間隔を置いた関係で示されている。組立て方法の最初の段階では、第１及び第２の成形部分１１０，１２０のそれぞれのヒンジ領域１４０，１４２を互いに対して位置合わせして第１のヒンジスタッド１４３が第２のヒンジ空所１４６に嵌まり込み、第２のヒンジスタッド１４５が第１のヒンジ空所１４４に嵌まり込むようにする。ヒンジ領域１４０，１４２は、ジョー１１２，１２２の開きを制限するストップを有するのがよい。
【００１２】
第１及び第２の成形部分１１０，１２０を互いに位置合わせして互いに合致させた後、ハウジング部分１７０を図５及び図７に示すようにヒンジ領域１４０，１４２相互間に形成して引張ばね１３０の中心コイルを収容する。図３を参照すると、引張ばね１３０をハウジング部分１７０内に配置してばねクリップ組立体を結合保持するとき、引張ばね１３０の延長部１３２，１３４をそれぞれ、ジョー１１２，１１４のそれぞれの案内スロット又はリブ１７２，１７４内に配置するのがよい。ばね延長部は、成形部品の礎となることに加えて、ジョーを閉じ又はジョーに対する片持ち強力部材として働くよう付勢力を及ぼすことができる。本発明の組立て方法では、成形部分の構成を変更しないで、種々の強度及び引張特性を持つ種々の引張ばねを各外科処置の要望及び要件に従って用いることができる。かくして、本発明のクリップと関連した利点は、これが低プロフィール構成のままであるということであり、この場合、種々の引張ばねを第１及び第２の成形部分１１０，１２０のそれぞれのヒンジ領域１４０，１４２相互間のハウジング部分１７０内に配置することができる。理解されることとして、実働可能なチャネルを有する管、例えば内視鏡、トロカール又は体壁を横切って延びる任意他の接近装置中へ挿入可能になっているのがよい。
【００１３】
本発明の更に別の特徴では、第１及び第２の成形部分１１０，１２０のヒンジ領域１４０，１４２は、図１６及び図１７に示すように引張ばね１３０の中心コイルを定位置に保持するよう働くばねリテーナリブ１９０，１９２をそれぞれ更に有するのがよい。組立ての際、中心コイルを僅かに圧縮してリブ１９０，１９２を通過させ、いったんハウジング部分１７０の内部に位置すると、中心コイルは、リテーナリブから滑り出ないように拡張する。第１及び第２の成形部分１１０，１２０は各々、複数のリテーナリブを有するのがよいことが理解される。
【００１４】
図９ないし図１５は、本発明の別の実施形態としてのフィンガタブ付きばねクリップ２００を示している。第１の実施形態のばねクリップ１００と同様、ばねクリップ２００は、第１のジョー２１２及び第１のフィンガタブ２１４を備えた第１の成形部分２１０と、第１の成形部分２１０に結合されていて、第２のジョー２２２及び第２のフィンガタブ２２４を備えた第２の成形部分２２０と、クリップ組立体を結合保持するよう第１の成形部分２１０と第２の成形部分２２０の両方に結合された引張ばね２３０とを有している。第１及び第２の成形部分２１０，２２０をユーザの要望に合うように任意の低プロフィール及び（又は）幅の狭い形態に成形するのがよい。さらに、第１及び第２の成形部分２１０，２２０は、互いに同一の部品であるのがよい。第１及び第２のジョー２１２，２２２は、図１１に示す第１の比較的近位側の位置と、図１０に示す第２の比較的間隔を置いた位置との間で相対的に動くことができる。第１及び第２の成形部分２１０，２２０は、第１及び第２のフィンガタブ２１４，２２４の作用により、ジョー２１２，２２２が全体として閉じられた第１の位置（図１１）と、ジョー２１２，２２２が全体として開いた第２の位置（図１０）との間で動くことができる。特に、フィンガタブ２１４，２２４を一緒に動かすことは、引張ばね２３０に加わる付勢力に抗し、ジョー２１２，２２２を開き状態に動かす。フィンガタブ２１４，２２４を解除すると、これらフィンガタブは、引張ばね２３０がジョー２１２，２２２をこれらの閉じ状態に動かしたときにこれらの最大高さに拡張する。
【００１５】
引張ばね２３０は、軸方向軸線２６０を有し、１以上のターン又は巻き部を有している。フィンガタブ２１４，２２４はそれぞれ、ユーザの指又はクリップ留め具のジョーとの係合を容易にするよう空所又は溝２１５，２２５を有するのがよい。第１の実施形態のクリップ１００と同様、ばねクリップ２００を手動操作でき又はクリップ留め具を用いて遠隔操作できる。本発明のばねクリップ２００は、各外科処置、例えば末梢血管手術、腹腔鏡下手術等の要望及び要件に従って任意の寸法形状のものであってよい。さらに、引張ばね２３０は、クリップ２００の種々の張力、強度及び他の保持特性をもたらすよう種々のワイヤ材料、ワイヤ直径、ワイヤ断面形状及びコイルターン（コイル巻き数）で作られるのがよいことが理解される。ワイヤ材料は、特定の強度及び引張特性をもたらすよう特定の硬度又は調質度のものであるのがよい。
【００１６】
本発明の別の特徴では、ジョー２１２，２２２は、処置の特定の領域に接近できるよう形作られ、湾曲し、曲げられ又は違ったやり方で形作られるのがよい。すなわち、ジョーは、クリップの意図した使用に一致した種々の形状に合うよう形作られたものであるのがよい。ジョー２１２，２２２は、外傷を軽減すると共に（或いは）標的体内導管又は組織に対する牽引作用を高めるよう働くパッド又は一体形ジョーパターン２５０，２５２をそれぞれ備えるのがよい。インサート２５０，２５２を定位置に成形するのがよく又は任意公知の接着剤を用いて取り付けるのがよい。
【００１７】
図１５を参照すると、ばねクリップ２００の組立て方法の種々の段階が示されている。本発明の好ましい方法によれば、引張ばね２３０を少なくとも１回巻いて中心コイル及び２つの延長部２３２，２３４を形成し、第１及び第２の成形部品２１０，２２０にヒンジ領域２４０，２４２をそれぞれ形成する。第１の成形部分２１０のヒンジ領域２４０は、第１のヒンジスタッド２４３及び第１のヒンジ空所２４４を有する。これと同様に、第２の成形部分２２０のヒンジ領域２４２は、第２のヒンジスタッド２４５及び第２のヒンジ空所２４６を有する。ヒンジ領域２４０，２４２は、互いに整列するよう働き、互いにスナップ嵌合してばねクリップ２００を形成することができる。例えば、第１及び第２の成形部分２１０，２２０は、互いに間隔を置いた関係で示されている。組立て方法の最初の段階では、第１及び第２の成形部分２１０，２２０のそれぞれのヒンジ領域２４０，２４２を互いに対して位置合わせして第１のヒンジスタッド２４３が第２のヒンジ空所２４６に嵌まり込み、第２のヒンジスタッド２４５が第１のヒンジ空所２４４に嵌まり込むようにする。ヒンジ領域２４０，２４２は、ジョー２１２，２２２の開きを制限するストップを有するのがよい。
【００１８】
第１及び第２の成形部分２１０，２２０を互いに位置合わせして互いに合致させた後、ハウジング部分２７０を図１３に示すようにヒンジ領域２４０，２４２相互間に形成して引張ばね２３０の中心コイルを収容する。図１１を参照すると、引張ばね２３０をハウジング部分２７０内に配置してばねクリップ組立体を結合保持するとき、引張ばね２３０の延長部２３２，２３４をそれぞれ、フィンガタブ２１４，２２４のそれぞれの案内スロット又はリブ２７２，２７４内に配置するのがよい。ばね延長部は、成形部品の礎となることに加えて、ジョーを閉じ又はジョーに対する片持ち強力部材として働くよう付勢力を及ぼすことができる。本発明の組立て方法では、成形部分の構成を変更しないで、種々の強度及び引張特性を持つ種々の引張ばねを各外科処置の要望及び要件に従って用いることができる。理解されることとして、実働可能なチャネルを有する管、例えば内視鏡、トロカール又は体壁を横切って延びる任意他の接近装置中へ挿入可能になっているのがよい。
【００１９】
上述の技術的思想には、当業者に明らかな多くの変形例がある。上述したように、材料は極めて様々であってよい。なお、好ましい実施形態では、引張ばね以外の要素は射出成形プラスチックで作られ、引張ばねは、ステンレス鋼ワイヤで作られている。パッド又はインサートも又、本発明の種々の実施形態においては広くばらつきがあってよい。一例では、パッドは、メッシュ構造で被覆されたフォームゴム基材を有するのがよく、かかるメッシュ構造は、体内導管、例えば血管に対する牽引を容易にする。別の例は、成形により牽引パターンを直接ジョーに形成することである。本発明の精神及び範囲から逸脱することなく種々の開示した実施形態に対し他の多くの改造を施すことができることは理解されよう。このように、上述の説明は、本発明を限定するものではなく、好ましい実施形態の単なる例示である。
【図面の簡単な説明】
【００２０】
【図１】本発明の第１の実施形態としてのジョー付きばねクリップを示す斜視図である。
【図２】開き位置にある図１のジョー付きばねクリップの側面図である。
【図３】閉じ位置にある第１のジョー付きばねクリップの断面図である。
【図４】図１のジョー付きばねクリップの平面図である。
【図５】図１のジョー付きばねクリップの近位端面図である。
【図６】図１のジョー付きばねクリップの遠位端面図である。
【図７】図１のジョー付きばねクリップの組立図である。
【図８】組み立てられたクリップのヒンジ特徴部を示す図である。
【図９】本発明の別の実施形態としてのフィンガタブ付きばねクリップを示す斜視図である。
【図１０】開き位置にある図９のフィンガタブ付きばねクリップの側面図である。
【図１１】閉じ位置にある図９のフィンガタブ付きばねクリップの断面図である。
【図１２】図９のフィンガタブ付きばねクリップの平面図である。
【図１３】図９のフィンガタブ付きばねクリップの近位端面図である。
【図１４】図９のフィンガタブ付きばねクリップの遠位端面図である。
【図１５】図９のフィンガタブ付きばねクリップの組立図である。
【図１６】ばねリテーナリブを有するジョー付きばねクリップの断面側面図である。
【図１７】ばねリテーナリブを有するジョー付きばねクリップの断面平面図である。
【図１】
2006519674.tif 000003
【図２】
2006519674.tif 000004
【図３】
2006519674.tif 000005
【図４】
2006519674.tif 000006
【図５】
2006519674.tif 000007
【図６】
2006519674.tif 000008
【図７】
2006519674.tif 000009
【図８】
2006519674.tif 000010
【図９】
2006519674.tif 000011
【図１０】
2006519674.tif 000012
【図１１】
2006519674.tif 000013
【図１２】
2006519674.tif 000014
【図１３】
2006519674.tif 000015
【図１４】
2006519674.tif 000016
【図１５】
2006519674.tif 000017
【図１６】
2006519674.tif 000018
【図１７】
2006519674.tif 000019
【国際調査報告】
2006519674.tif 000020